(57)【特許請求の範囲】
【請求項１】
圧縮エアを生成するピストンシリンダー機構を有し、ピストンシリンダー機構における動力部の動作によってウエイトを駆動し、疑似的な発射反動を得るようにした電動式玩具銃であって、動力部の作動により後退方向へ移動をさせられるピストンと、前記ウエイト側に配置してウエイトを押圧する押圧部材と、前記ピストンに一端を内蔵され、他端を前記押圧部材にはめ込んだピストンスプリングと、前記押圧部材の移動を制御し、所定の負荷がかかったときに移動を解除するロック部材と、前記動力部によりピストンスプリング、押圧部材を介して伝えられる力を受け、銃本体の前後方向へ移動可能に配置したウエイトと、ウエイトに伝えられる力を受けて圧縮状態となる位置に設けたウエイトリターンスプリングとを有し、ウエイトリターンスプリングが圧縮されその後反発力により伸張する際のウエイトの移動に伴う反作用が銃本体に伝達されるようにしたことを特徴とする電動式玩具銃。
【請求項２】
前記押圧部材の移動を制御し、所定の負荷がかかったときに移動を解除するロック部材は、前記押圧部材内に進退可能に収納されていて、一方の端部はピストンが移動してきたときに押圧される位置にあり、ウエイト側の他方の端部外周には細径部を形成され、かつ該他方の端部はウエイトの端部にリターンスプリングを介して保持されたロッキングロッドと、常態における前記押圧部材とウエイトとの間に形成された保持溝内に取り付けられたロッキングローラーとを備え、該ロッキングロッドの一方の端部はピストンが移動してきたときに押圧されて前記押圧部材内を後退し、前記細径部にロッキングローラーが落ち込んで前記保持溝内でのロックが解除され、前記押圧部材がウエイトを後退させ、前記ウエイトに伝えられる力を受けてウエイトリターンスプリングが圧縮され、その後反発力により伸張する際のウエイトの移動に伴う反作用が銃本体に伝達されるようにしたことを特徴とする請求項１記載の電動式玩具銃。
【請求項３】
前記押圧部材の移動を制御し、所定の負荷がかかったときに移動を解除するロック部材は、前記押圧部材内に細径とした一方の端部がはめ込まれ、ウエイト側の他方の端部には大径部を形成され、かつ該他方の端部はウエイトの端部にリターンスプリングを介して保持されたディレードピースと、常態における前記押圧部材とウエイトとの間に形成された保持溝内に取り付けられたディレードローラーとを備え、該ディレードピースはピストンが移動してきたときにディレードローラーにより押圧されて前記押圧部材とともに後退し、前記細径側端部にディレードローラーが落ち込んで前記保持溝内でのロックが解除され、前記押圧部材がウエイトを後退させ、前記ウエイトに伝えられる力を受けてウエイトリターンスプリングが圧縮され、その後反発力により伸張する際のウエイトの移動に伴う反作用が銃本体に伝達されるようにしたことをも特徴とする請求項１記載の電動式玩具銃。
【請求項４】
前記押圧部材の移動を制御し、所定の負荷がかかったときに移動を解除するロック部材は、常態における前記押圧部材の外周上に形成された保持溝内にはめ込まれる凸部を形成したディレードスプリングを備え、該ディレードスプリングはピストンが移動してきたときに押圧されて前記押圧部材とともに後退し、前記凸部が変形して前記保持溝内でのロックが解除され、前記押圧部材がウエイトを後退させ、前記ウエイトに伝えられる力を受けてウエイトリターンスプリングが圧縮され、その後反発力により伸張する際のウエイトの移動に伴う反作用が銃本体に伝達されるようにしたことを特徴とする請求項１記載の電動式玩具銃。
【発明の詳細な説明】
【技術分野】
【０００１】
この発明は、空気等の気体を圧縮して排気することにより弾丸を発射するピストン装置を持ち、そのピストン部分の動作をきっかけにウエイトを動かすことによって、実銃における発射反動の様な衝撃、すなわち疑似的な発射反動を得られるようにした電動式玩具銃に関するものである。
【背景技術】
【０００２】
従来の玩具銃にみられる、疑似的な発射反動発生方式としては、主に以下の方式が存在する。
１）動力部（ギアとモータ）によって動かす可動部分（ピストン）自体の重量をウエイト等で増やし、その前後動によって発生した振動を、疑似的な発射反動として体感させるもの。
２）引き金を引くと、圧縮空気によってピストンロッドを突出させ、可動肩当てを後方に揺動、突出させることによって、射手に衝撃を伝えるもの（特開２０００−８８４９４号公報「射撃反動再現装置」  特許文献１参照）。
３）スライドカバーを、ソレノイド（電磁石）によって高速で往復移動させることによって、疑似的な発射反動とするもの（特開平８−８９６６１号公報「ガンゲーム機）  特許文献２参照）。
４）銃身に沿ったスプリングと重りにより後ろ向きに発生させた衝撃を利用して空気室を押し、その圧力で弾丸を発射させるもの。（実開平０６−２２７９３号公報「エアガン用衝撃発生及び弾丸発射装置」  特許文献３参照）。
５）重量のある可動部分をピストン・連絡部＋ウエイトに２分割することによって、動力部にかかる負荷を軽減させつつ、ウエイトを動かし疑似的な発射反動とするもの（特開２００７−５１８５１号公報「玩具銃におけるリコイルショック装置」  特許文献４参照）。
【０００３】
しかしながら、前記各従来例においては以下のような問題点が存在する。
１）の方式は、動力部の作動がスタートするのと同時に、重い可動部を後退させなければならない。すなわち後退しきった重い可動部分を前進させて元の位置に戻すためには、強いリコイルばねを使用しなければならない。このように、動力部が動かさなければならない重量とばね力が大きくなってしまい、動力部にかかる負荷が大きくなって破損しやすいという問題がある。
２）の方式は、本体からピストンロッドを突出させて可動肩当てを動かすという、実銃には存在しないメカニズムを付加する必要が有るため、実銃の外観を模すことが求められる玩具銃には適していない。
３）の方式は、ピストル型ならば採用可能であるが、サブマシンガン型やライフル型等の、外観にスライドカバーを持たない種類の銃を再現する際には適していない。
また、弾丸発射機能とは別にソレノイド機構を搭載する必要があるので、機構が複雑になるという問題がある。
４）の方式は、重りを兼ねたピストンの後退によって、弾丸の発射圧力を発生させる方式であるが、弾丸発射性能を十分に保ちつつこの構造を搭載できる大きさを持つ銃は限られてしまうという問題がある。
５）の方式は、可動部分の重量がピストンと連絡部とウエイトとに分散されているため、動力部の作動がスタートする段階では、ピストンの重量とピストンスプリングの分の負荷だけが動力部にかかる。
すなわち、ピストンがある程度後退すると、連絡部を介して後退力がウエイトに伝わりこれを後退させるものである。したがって１）の方式と異なり、最初から可動部の重量が全て動力部にかかるわけではないので、作動初期に動力部にかかる負担が少ないという特徴がある。ただし、ピストンが連結部に触れた時に、瞬間的に大きな負荷が動力部にかかり、動力部の例えば伝達ギアが破損してしまうという問題点がある。
【先行技術文献】
【特許文献】
【０００４】
【特許文献１】特開２０００−８８４９４号公報
【特許文献２】特開平８−８９６６１号公報
【特許文献３】実開平０６−２２７９３号公報
【特許文献４】特開２００７−５１８５１号公報
【発明の開示】
【発明が解決しようとする課題】
【０００５】
本発明は前記の点に着目してなされたもので、従来の技術においては、大きな衝撃を発生させる為にはピストンに重いウエイトを固定しなければならず、またその重いウエイトを固定したピストンを元の位置に戻すためには強いスプリングを使用しなければならないという理由から、動力部にかかる負担が雪だるま式に大きくなり、動力部の破損を招くという問題点があった。
ちなみに、前述の５）の方式のように可動部を二分割にして動力部にかかる負担を減少させる方法もあるが、これでもピストンとウエイトが連絡した瞬間に大きな負荷がかかることで、動力部の破損の原因となっている。
【０００６】
この発明の電動式玩具銃は、以下のようにしてこれらの問題点を解消しようとするものである。
（１）ピストンと分割したウエイトを固定するロック機構、またはウエイトを半固定して後退を遅らせる機構を備えることによって、動力部の作動がスタートする段階での負担を減少させる。
（２）ピストンとウエイトとの連絡部分を廃し、スプリングによってピストンの後退力をウエイトに伝えることにより、それまで瞬間的にかかっていたウエイト作動開始時における動力部にかかる負荷をゆるやかなものにする。これによって、重いウエイトを使用しても動力部の耐久性を損なわないようにしたものである。
【課題を解決するための手段】
【０００７】
前記の課題を解決するため本発明の電動式玩具銃は、圧縮エアを生成するピストンシリンダー機構を有し、ピストンシリンダー機構における動力部の動作によってウエイトを駆動し、疑似的な発射反動を得るようにした電動式玩具銃であって、動力部の作動により後退方向へ移動をさせられるピストンと、前記ウエイトを押圧する押圧部材と、前記ピストンに一端を内蔵され、他端を前記押圧部材にはめ込んだピストンスプリングと、前記押圧部材の移動を制御し、所定の負荷がかかったときに移動を解除するロック部材と、前記動力部によりピストンスプリング、押圧部材を介して伝えられる力を受け、銃本体の前後方向へ移動可能に配置したウエイトと、ウエイトに伝えられる力を受けて圧縮状態となる位置に設けたウエイトリターンスプリングとを有し、ウエイトリターンスプリングが圧縮されその後反発力により伸張する際のウエイトの移動に伴う反作用が銃本体に伝達されるようにしたことを特徴とするものである。
【０００８】
本発明の電動式玩具銃において、前記押圧部材の移動を制御し、所定の負荷がかかったときに移動を解除するロック部材は、前記押圧部材内に進退可能に収納されていて、一方の端部はピストンが移動してきたときに押圧される位置にあり、ウエイト側の他方の端部外周には細径部を形成され、かつ該他方の端部はウエイトの端部にリターンスプリングを介して保持されたロッキングロッドと、常態における前記押圧部材とウエイトとの間に形成された保持溝内に取り付けられたロッキングローラーとを備え、該ロッキングロッドの一方の端部はピストンが移動してきたときに押圧されて前記押圧部材内を後退し、前記細径部にロッキングローラーが落ち込んで前記保持溝内でのロックが解除され、前記押圧部材がウエイトを後退させ、前記ウエイトに伝えられる力を受けてウエイトリターンスプリングが圧縮され、その後反発力により伸張する際のウエイトの移動に伴う反作用が銃本体に伝達されるようにしたことをも特徴とするものである。
【０００９】
本発明の電動式玩具銃において、前記押圧部材の移動を制御し、所定の負荷がかかったときに移動を解除するロック部材は、前記押圧部材内に細径とした一方の端部がはめ込まれ、ウエイト側の他方の端部には大径部を形成され、かつ該他方の端部はウエイトの端部にリターンスプリングを介して保持されたディレードピースと、常態における前記押圧部材とウエイトとの間に形成された保持溝内に取り付けられたディレードローラーとを備え、該ディレードピースはピストンが移動してきたときにディレードローラーにより押圧されて前記押圧部材とともに後退し、前記細径側端部にディレードローラーが落ち込んで前記保持溝内でのロックが解除され、前記押圧部材がウエイトを後退させ、前記ウエイトに伝えられる力を受けてウエイトリターンスプリングが圧縮され、その後反発力により伸張する際のウエイトの移動に伴う反作用が銃本体に伝達されるようにしたことをも特徴とするものである。
【００１０】
本発明の電動式玩具銃において、前記押圧部材の移動を制御し、所定の負荷がかかったときに移動を解除するロック部材は、常態における前記押圧部材の外周上に形成された保持溝内にはめ込まれる凸部を形成したディレードスプリングを備え、該ディレードスプリングはピストンが移動してきたときに押圧されて前記押圧部材とともに後退し、前記凸部が変形して前記保持溝内でのロックが解除され、前記押圧部材がウエイトを後退させ、前記ウエイトに伝えられる力を受けてウエイトリターンスプリングが圧縮され、その後反発力により伸張する際のウエイトの移動に伴う反作用が銃本体に伝達されるようにしたことをも特徴とするものである。
【発明の効果】
【００１１】
本発明の電動式玩具銃は以上のように構成されたものであり、
（１）ピストンと分割したウエイトを固定するロック機構、またはウエイトを半固定して後退を遅らせる機構を備えることによって、動力部の作動がスタートする段階での負担を減少させることができた。
（２）ピストンとウエイトとの直接的な連絡部分を廃し、スプリングによってピストンの後退力をウエイトに伝えることにより、それまで瞬間的にかかっていたウエイト作動開始時における動力部にかかる負荷をゆるやかなものにすることができる。これによって、重いウエイトを使用した場合でも動力部の耐久性を損なわないようにすることができた。
という非常に顕著な作用効果を奏するものとなった。
【図面の簡単な説明】
【００１２】
【図１】本発明に係る電動式玩具銃の第１実施例を示す縦断面図である。
【図２】ピストンが前進した初期状態を示す縦断面図である。
【図３】トリガーを引いて動力部が稼働し始めた状態を示す縦断面図である。
【図４】ピストンがロッキングロッドを押し始めた状態を示す縦断面図である。
【図５】ロッキングローラーが係合溝から外れた状態を示す縦断面図である。
【図６】ウエイトが後退しきった状態を示す縦断面図である。
【図７】ピストンとウエイトが前進する状態を示す縦断面図である。
【図８】ピストンが前進しきった初期状態を示す縦断面図である。
【図９】その要部拡大縦断面図である。
【図１０】本発明に係る電動式玩具銃の第２実施例を示し、ピストンが前進した初期状態を示す縦断面図である。
【図１１】トリガーを引いて動力部が稼働し始めた状態を示す縦断面図である。
【図１２】ディレードローラーが係合溝から外れようとする状態を示す縦断面図である。
【図１３】ディレードローラーが係合溝から外れた状態を示す縦断面図である。
【図１４】ウエイトが後退しきった状態を示す縦断面図である。
【図１５】ピストンとウエイトが前進する状態を示す縦断面図である。
【図１６】ピストンが前進しきった初期状態を示す縦断面図である。
【図１７】その要部拡大縦断面図である。
【図１８】本発明に係る電動式玩具銃の第３実施例を示し、ピストンが前進した初期状態を示す縦断面図である。
【図１９】トリガーを引いて動力部が稼働し始めた状態を示す縦断面図である。
【図２０】ディレードスプリングの凸部が係合溝から外れようとする状態を示す縦断面図である。
【図２１】ディレードスプリングが係合溝から外れた状態を示す縦断面図である。
【図２２】ウエイトが後退しきった状態を示す縦断面図である。
【図２３】ピストンとウエイトが前進する状態を示す縦断面図である。
【図２４】ピストンが前進しきった初期状態を示す縦断面図である。
【図２５】その要部拡大縦断面図である。
【発明を実施するための形態】
【実施例１】
【００１３】
以下この発明の電動式玩具銃の望ましい実施形態につき、図面を参照して詳細に説明する。
まず、この発明の電動式玩具銃の第１実施例である『ローラー固定方式』について図１ないし図９に基いて説明する。
ローラー固定方式の、本体の内部構成は図１の通りである。
すなわちこの実施例の電動式玩具銃は、シリンダー９と該シリンダー９内にスライド可能に収納したピストン５とからなる、圧縮エアを生成するシリンダー機構を有するものであって、該ピストンシリンダー機構における動力部１，２，３，４の動作により、ピストン５外周に形成したラックギア５ａを介してピストン５、ウエイト２４を駆動し、疑似的な発射反動を得るようにしたものである。
図において前記動力部１，２，３，４は、ピニオンギア付モータ１、伝達ギア２，３および出力ギア４で構成されているが、これに限られるものではない。
また、前記動力部１，２，３，４の作動により後退方向へ移動をさせられるピストン５は、前記ウエイト２４を押圧する筒状の押圧部材２６と所定の間隔をおいて配置され、前記ピストン５に一端を内蔵され、他端を前記押圧部材２６外周にはめ込んだピストンスプリング７によって、前記ピストン５および押圧部材２６は互いに離隔する方向に付勢されている。
なお、図においてローディングノズル８はインナーバレル１１の内側にあって、圧縮空気を噴射して、ＢＢ弾１０を発射させる。
【００１４】
さらにこの実施例の電動式玩具銃は、前記押圧部材２６の移動を制御し、所定の負荷がかかったときに移動を解除するロック部材と、前記動力部１，２，３，４によりピストンスプリング７、押圧部材２６を介して伝えられる力を受け、銃本体の前後方向へ移動可能に配置したウエイト２４と、該ウエイト２４に伝えられる力を受けて圧縮状態となる位置に設けたウエイトリターンスプリング２５とを有している。
【００１５】
第１実施例の電動式玩具銃における、前記押圧部材２６の移動を制御し、所定の負荷がかかったときに移動を解除するロック部材をより詳しく説明する。
前記ロック部材は、前記押圧部材２６内に進退可能に収納されていて、一方の端部は前記ピストン５が移動してきたときに押圧される位置にあり、またウエイト２４側の他方の端部外周には細径部２２ａを形成され、かつ該他方の端部はウエイト２４の端部にリターンスプリング２３を介して保持されたロッキングロッド２２を備えている。
さらに前記ロック部材は、常態における前記押圧部材２６とウエイト２４との外周間にまたがって取り付けられたローラーロッキングブロック２１を備え、該ローラーロッキングブロック２１の内周面に形成された保持溝２１ａ内には複数個のロッキングローラー２０がはめ込まれている。
【００１６】
前記ロッキングロッド２２の一方の端部はピストン５が移動してきたときにピストンスプリング７により押圧されて前記押圧部材２６内を後退し、前記ロッキングロッド２２の細径部２２ａにロッキングローラー２０が落ち込んで前記保持溝２１ａ内でロッキングローラー２０のロックが解除され、前記押圧部材２６がウエイト２４を後退させる。
その後、ウエイトリターンスプリング２５が圧縮されその反発力により伸張する際のウエイト２４の移動に伴う反作用が銃本体に伝達され、実銃における発射反動の様な衝撃、すなわち疑似的な発射反動を得られるようにしたのである。
【００１７】
以下、第１実施例の電動式玩具銃の作用について説明する。
図２はこの発明の電動式玩具銃の第１実施例において、ピストン５が前進した初期状態を示している。
ピストン５が前進した初期状態では、ロッキングローラー２０はロッキングロッド２２とローラーロッキングブロック２１の保持溝２１ａ間で物理的に固定されているので動くことはない。ちなみに、このロッキングローラー２０は、例えばベアリングのような金属球を使用することができる。
次いで、図３に示すようにトリガー６を後方に引くと、各動力部１、２、３、４が順次作動する。各動力部１、２、３、４が作動し、ピストン５を後退させはじめる時、まだロッキングローラー２０はローラーロッキングブロック２１の保持溝２１ａに入り込んでおり、ウエイト２４は前後に動かない。そのため、ピストン５を後退させる力と、ピストンスプリング７を縮める力だけが動力部１、２、３、４にかかる。
【００１８】
図４に示すように、ピストン５が一定の位置まで後退すると、ロッキングロッド２２の先端に当たり、これを後方に押し下げる。ロッキングロッド２２は、ウエイト２４前進時に必ず定位置に戻るよう、ロッドリターンスプリング２３の力がかかっているが、ロッキングロッド２２，ロッドリターンスプリング２３ともに、ピストン５の力をウエイト２４に直接力を伝える連絡部の役目は有していない。ちなみに、ロッドリターンスプリング２３は、図では押しばねであるが、引きばねにすることでも同じ役目を果たすことができる。
【００１９】
図５に示すように、ピストン５によって前記ロッキングロッド２２が細径部２２ａまで後方に十分押し込まれると、ロッキングローラー２０が、ローラーロッキングブロック２１の保持溝２１ａの斜面に沿って上下（矢印の方向）に動けるようになる。ロッキングローラー２０がローラーロッキングブロック２１の保持溝２１ａから外れると、ウエイト２４を固定するものがなくなり、ピストン５、ピストンスプリング７によってウエイト２４、ウエイトリターンスプリング２５が後方へ移動できる状態になる。
この時、ピストン５が後方に押し込む力は、ウエイト２４には直接伝わらず、ピストンスプリング７を介して伝えられるので、大きな負荷が一瞬で動力部１、２、３、４にかかることを防ぐことができる。
【００２０】
図６に示すように、ウエイト２４が後退しきって、ストックチューブ１２終端にぶつかる衝撃と、ピストン５とウエイト２４がウエイトリターンスプリング２５の力によって前進する際に発生する反発力が、銃本体を後方に押し下げる力となる。これが、ストック１３を介して射手の肩に伝わり、疑似的な発射反動となって感じられるのである。
【００２１】
図７に示すように、ピストン５とウエイト２４が、ピストンスプリング７、ウエイトリターンスプリング２５によって前進する際に、ピストン５とシリンダ９との間で空気が圧縮され、ＢＢ弾１０が発射される。
図８に示すように、ウエイト２４が前進しきると、ロッキングロッド２２がロッドリターンスプリング２３の力で前進してロッキングローラー２０は細径部２２ａから大径部２２ｂに移動し、ロッキングローラー２０を上下（矢印の方向）に押す。そこで、ローラーロッキングブロック２１の保持溝２１ａにロッキングローラー２０が入り込み、ウエイト２４をロックする。
このサイクルを繰り返すことによって、連射を行うことができる。
図９はウエイト２４が前進しきった状態の要部拡大縦断面図である。
【実施例２】
【００２２】
次に、実施例１の発展型として発明された実施例２『ローラー遅延式』について説明する。これは、ローラー固定式をよりシンプルにするために考えられた方式である。
ローラー遅延式の、本体の内部構成は、図１０の通りである。
すなわちこの実施例の電動式玩具銃も、シリンダー９と該シリンダー９内にスライド可能に収納したピストン５とからなる、圧縮エアを生成するシリンダー機構を有するものであって、該ピストンシリンダー機構における動力部１，２，３，４の動作により、ピストン５外周に形成したラックギア５ａを介してピストン５、ウエイト３４を駆動し、疑似的な反射反動を得るようにしたものである。
図において前記動力部１，２，３，４は、ピニオンギア付モータ１、伝達ギア２，３および出力ギア４で構成されているが、これに限られるものではない。
また、前記動力部１，２，３，４の作動により後退方向へ移動をさせられるピストン５は、前記ウエイト３４を押圧する押圧部材３６と所定の間隔をおいて配置され、前記ピストン５に一端を内蔵され、他端を前記押圧部材３６外周にはめ込んだピストンスプリング７によって、前記ピストン５および押圧部材３６は互いに離隔する方向に付勢されている。
【００２３】
さらにこの実施例の電動式玩具銃は、前記押圧部材３６の移動を制御し、所定の負荷がかかったときに移動を解除するロック部材と、前記動力部１，２，３，４によりピストンスプリング７、押圧部材３６を介して伝えられる力を受け、銃本体の前後方向へ移動可能に配置したウエイト３４と、該ウエイト３４に伝えられる力を受けて圧縮状態となる位置に設けたウエイトリターンスプリング３５とを有している。
【００２４】
第２実施例の電動式玩具銃における、前記押圧部材３６の移動を制御し、所定の負荷がかかったときに移動を解除するロック部材をより詳しく説明する。
前記ロック部材は、前記押圧部材３６内に細径部３２ａとした一方の端部がはめ込まれ、ウエイト３４側の他方の端部には大径部３２ｂを形成され、かつ該他方の端部はウエイト３４の端部にディレードピーススプリング３３を介して保持されたローラーディレードピース３２を備えている。
さらに前記ロック部材は、常態における前記押圧部材３６とウエイト３４との外周間にまたがって取り付けられたローラーディレードブロック３１を備え、該ローラーディレードブロック３１の内周面に形成された保持溝３１ａ内には複数個のディレードローラー３０がはめ込まれている。
【００２５】
前記ローラーディレードピース３２はピストン５が移動してきたときにディレードローラー３０により押圧されて前記押圧部材３６とともに後退し、前記細径部３２ａ側端部にディレードローラー３０が落ち込んで前記保持溝３１ａ内でのロックが解除され、前記押圧部材３６がウエイト３４を後退させる。
その後、ウエイトリターンスプリング３５が圧縮されその反発力により伸張する際のウエイト３４の移動に伴う反作用が銃本体に伝達され、実銃における発射反動の様な衝撃、すなわち疑似的な発射反動を得られるようにしたのである。
【００２６】
以下、第２実施例の電動式玩具銃の作用について説明する。
図１０はこの発明の電動式玩具銃の第２実施例において、ピストン５が前進した初期状態を示している。
ピストン５が前進した初期状態では、ディレードローラー３０はローラーディレードピース３２の斜面に押され、ローラーディレードブロック３１の保持溝３１ａ内に入り込んでいるので動かない。なお、ローラーディレードピース３２は、ディレードピーススプリング３３の力がかかっており前方に押されている。ちなみに、このディレードローラー３０は、例えばベアリングのような金属球を使用することができる。
【００２７】
次いで、図１１に示すようにトリガー６を後方に引くと、各動力部１、２、３、４が作動する。各動力部１、２、３、４が作動し、ピストン５を後退させはじめる時、ディレードローラー３０は、ローラーディレードブロック３１の保持溝３１ａに入り込んでいる。ディレードローラー３０に物理的なロックは存在しないが、ローラーディレートピース３２が、ディレードピーススプリング３３の力で押され、ディレードローラー３０を押し上げているので、ウエイト３４が後退しようとしてもディレードローラー３０が引っかかって大きな抵抗となり、ウエイト３４の後退は極わずかとなることにより、ウエイト３４において後退の遅延がなされる。
そのため、各動力部１，２，３，４が作動し、ピストン５を後退させはじめる初期段階では、ピストン５を後退させる力と、ピストンスプリング７を縮める力だけが各動力部１、２、３、４にかかる。
【００２８】
図１２に示すように、ピストン５が一定の位置まで後退し、ピストンスプリング７のばね力が、ディレードピーススプリング３３とウエイトリターンスプリング３５で遅延しきれない強さになると、ディレードローラー３０がローラーディレードブロック３１の保持溝３１ａの斜面に沿って上下（矢印の方向）に動く。
【００２９】
図１３に示すように、ディレードローラー３０が、ローラーディレードブロック３１の保持溝３１ａを乗り越えると、ウエイト３４の固定が完全に外れ、ピストン５、ピストンスプリング７によってウエイト３４、ウエイトリターンスプリング３５が後方に移動できる状態になる。この時、ピストン５が後退する力は、ウエイト３４には直接伝わらず、ピストンスプリング７を介して伝えられるので、一瞬で大きな負荷が各動力部１、２、３、４にかかることを防ぐ。
【００３０】
図１４に示すように、ウエイト３４が後退しきってストックチューブ１２終端にぶつかる衝撃と、ピストン５およびウエイト３４がウエイトリタ−ンスプリング３５の力で前進する際に発生する反発力が、銃本体を後方に押し下げる力となる。これが、ストック１３を介して射手の肩に伝わり、疑似的な発射反動となって感じられるのである。
【００３１】
図１５に示すように、ピストン５とウエイト３４がピストンスプリング７、ウエイトリターンスプリング３５によって前進する時に、ピストン５とシリンダ９との間で空気が圧縮され、ＢＢ弾１０が発射される。
図１６に示すように、ウエイト３４が前進しきると、ローラーディレードブロック３１の保持溝３１ａにディレードローラー３０が入り込んで、ウエイト３４をロックする。
このサイクルを繰り返すことによって、連射を行うことができる。
図１７はウエイト３４が前進しきった状態の要部拡大縦断面図である。
【実施例３】
【００３２】
次に、実施例２の発展型として発明された実施例３『板ばね遅延式』について説明する。これは、ローラー遅延式をさらにシンプルにするために考えられた方式である。基礎原理はローラー遅延式と同一である。板ばね遅延式の、本体の内部構成は、図１８の通りである。
すなわちこの実施例の電動式玩具銃も、シリンダー９と該シリンダー９内にスライド可能に収納したピストン５とからなる、圧縮エアを生成するシリンダー機構を有するものであって、該ピストンシリンダー機構における動力部１，２，３，４の動作により、ピストン５外周に形成したラックギア５ａを介してピストン５、ウエイト４３を駆動し、疑似的な発射反動を得るようにしたものである。
図において前記動力部１，２，３，４は、ピニオンギア付モータ１、伝達ギア２，３および出力ギア４で構成されているが、これに限られるものではない。
また、前記動力部１，２，３，４の作動により後退方向へ移動をさせられるピストン５は、前記ウエイト４３を押圧する押圧部材４５と所定の間隔をおいて配置され、前記ピストン５に一端を内蔵され、他端を前記押圧部材４５外周にはめ込んだピストンスプリング７によって、前記ピストン５および押圧部材４５は互いに離隔する方向に付勢されている。
【００３３】
さらにこの実施例の電動式玩具銃は、前記押圧部材４５の移動を制御し、所定の負荷がかかったときに移動を解除するロック部材と、前記動力部１，２，３，４によりピストンスプリング７、押圧部材４５を介して伝えられる力を受け、銃本体の前後方向へ移動可能に配置したウエイト４３と、該ウエイト４３に伝えられる力を受けて圧縮状態となる位置に設けたウエイトリターンスプリング４４とを有している。
【００３４】
第３実施例の電動式玩具銃における、前記押圧部材４５の移動を制御し、所定の負荷がかかったときに移動を解除するロック部材をより詳しく説明する。
前記ロック部材は、前記押圧部材４５の後方の細径部４５ａ外周上にスプリングストップピン４２を介して取り付けられたディレードスプリング４０を備えている。
さらに前記ロック部材は、常態における前記押圧部材４５の細径部４５ａ上に取り付けられたスプリングブロック４１を備え、該スプリングブロック４１の内周面に形成された保持溝４１ａ内には複数片のディレードスプリング４０の凸部４０ａがはめ込まれている。
【００３５】
前記ディレードスプリング４０はピストン５が移動してきたときに押圧されて前記押圧部材４５とともに後退し、前記凸部４０ａが変形して前記保持溝４１ａ内でのロックが解除され、前記押圧部材４５がウエイト４３を後退させる。
その後、ウエイトリターンスプリング４４が圧縮されその反発力により伸張する際のウエイト４３の移動に伴う反作用が銃本体に伝達され、実銃における発射反動の様な衝撃、すなわち疑似的な発射反動を得られるようにしたのである。
【００３６】
以下、第３実施例の電動式玩具銃の作用について説明する。
図１８はこの発明の電動式玩具銃の第３実施例において、ピストン５が前進した初期状態を示している。
この状態では、ディレードスプリング４０は、スプリングブロック４１の保持溝４１ａ内に入り込んでいるので動かない。
【００３７】
次いで、図１９に示すようにトリガー６を後方に引くと、各動力部１、２、３、４が作動する。各動力部１、２、３、４が作動し、ピストン５を後退させはじめる時、ディレードスプリング４０は、スプリングブロック４１の保持溝４１ａ内に入り込んでいる。ディレードスプリング４０に物理的なロックは存在しないが、ウエイト４３が後退しようとしても、ばねの力でディレードスプリング４０が保持溝４１ａに引っかかって大きな抵抗となり、ウエイト４３の後退は極わずかとなり、ウエイト４３後退の遅延がなされる。
そのため、各動力部１、２、３、４が作動し、ピストン５を後退させはじめる初期段階では、ピストン５を後退させる力と、ピストンスプリング７を縮める力だけが動力部１、２、３、４にかかる。
【００３８】
図２０に示すように、ピストン５が一定の位置まで後退し、ピストンスプリング７のばね力がディレードスプリング４０とウエイトリターンスプリング４４で遅延しきれない強さになると、ディレードスプリング４０が変形し、ディレードスプリング４０の半円部分がスプリングブロック４１の保持溝４１ａの斜面に沿って上下（矢印の方向）に動く。
【００３９】
図２１に示すように、ディレードスプリング４０が、スプリングブロック４１の保持溝４１ａを乗り越えると、ウエイト４３の固定が完全に外れ、ピストン５およびピストンスプリング７によってウエイト４３、ウエイトリターンスプリング４４が後方に移動できる状態になる。この時、ピストン５が後退する力は、ウエイト４３には直接伝わらず、ピストンスプリング７を介して伝えられるので、一瞬で大きな負荷が各動力部１、２、３、４にかかることを防ぐ。
【００４０】
図２２に示すように、ウエイト４３が後退しきって、ストックチューブ１２終端にぶつかる衝撃と、ピストン５およびウエイト４３がウエイトリターンスプリング４４の力で前進する際に発生する反発力が、銃本体を後方に押し下げる力となる。これが、ストック１３を介して射手の肩に伝わり、疑似的な発射反動となって感じられるのである。
【００４１】
図２３に示すように、ピストン５とウエイト４３が、ピストンスプリング７、ウエイトリターンスプリング４４によって前進する時に、ピストン５とシリンダ９との間で空気が圧縮され、ＢＢ弾１０が発射される。
図２４に示すように、ウエイト４３が前進しきると、スプリングブロック４１の保持溝４１ａにディレードスプリング４０が入り込んで、ウエイト４３を固定する。
このサイクルを繰り返すことによって、連射を行うことができる。
図２５はウエイト４３が前進しきった状態の要部拡大縦断面図である。
【産業上の利用可能性】
【００４２】
本発明の要旨は、ピストンシリンダー機構の動力部から伝えられる力に基づいてウエイトを駆動することによるショックから部品を保護することにあり、もちろん前記各実施例の機構に適用範囲が限定されるものではない。
【符号の説明】
【００４３】
１，２，３，４  動力部（ピニオンギア付モータ１、伝達ギア２，３および出力ギア４）
５  ピストン
５ａ  ラックギア
６  トリガー
７  ピストンスプリング
８  ローディングノズル
９  シリンダー
１０  ＢＢ弾
１１  インナーバレル
１２  ストックチューブ
１３  ストック
２０  ロッキングローラー
２１  ローラーロッキングブロック
２１ａ  保持溝
２２  ロッキングロッド
２２ａ  細径部
２２ｂ  大径部
２３  ロッドリターンスプリング
２４  ウエイト
２５  ウエイトリターンスプリング
２６  押圧部材
３０  ディレードローラー
３１  ローラーディレードブロック
３１ａ  保持溝
３２  ローラーディレードピース
３２ａ  細径部
３２ｂ  大径部
３３  ディレードピーススプリング
３４  ウエイト
３５  ウエイトリターンスプリング
３６  押圧部材
４０  ディレードスプリング
４０ａ  凸部
４１  スプリングブロック
４１ａ  保持溝
４２  スプリングストップピン
４３  ウエイト
４４  ウエイトリターンスプリング
４５  押圧部材
４５ａ  細径部
【要約】      （修正有）【課題】実銃における発射反動の様な衝撃を得られるようにした電動式玩具銃を提供する。【解決手段】ウエイト２４を駆動し、疑似的な発射反動を得るようにした電動式玩具銃であって、動力部１，２，３，４の作動により後退方向へ移動をさせられるピストン５と、ウエイトを押圧する押圧部材２６と、ピストンに一端を内蔵され、他端を押圧部材にはめ込んだピストンスプリング７と、押圧部材の移動を制御し、所定の負荷がかかったときに移動を解除するロック部材と、動力部によりピストンスプリング、押圧部材を介して伝えられる力を受け、銃本体の前後方向へ移動可能に配置したウエイトと、ウエイトに伝えられる力を受けて圧縮状態となる位置に設けたウエイトリターンスプリング２５とを有し、ウエイトリターンスプリングが圧縮されその後反発力により伸張する際のウエイトの移動に伴う反作用が銃本体に伝達されるようにしたことを特徴とする。【選択図】図１【図１】
0005517380.tif 000002
【図２】
0005517380.tif 000003
【図３】
0005517380.tif 000004
【図４】
0005517380.tif 000005
【図５】
0005517380.tif 000006
【図６】
0005517380.tif 000007
【図７】
0005517380.tif 000008
【図８】
0005517380.tif 000009
【図９】
0005517380.tif 000010
【図１０】
0005517380.tif 000011
【図１１】
0005517380.tif 000012
【図１２】
0005517380.tif 000013
【図１３】
0005517380.tif 000014
【図１４】
0005517380.tif 000015
【図１５】
0005517380.tif 000016
【図１６】
0005517380.tif 000017
【図１７】
0005517380.tif 000018
【図１８】
0005517380.tif 000019
【図１９】
0005517380.tif 000020
【図２０】
0005517380.tif 000021
【図２１】
0005517380.tif 000022
【図２２】
0005517380.tif 000023
【図２３】
0005517380.tif 000024
【図２４】
0005517380.tif 000025
【図２５】
0005517380.tif 000026